(57)【要約】【課題】カップを保持するためのキャリアを必要とせず、袋材だけで構成され、製造工程が簡単で、低コストで作製することができ、使用に際して、袋内にカップを収容するだけで余分な手間が掛からず、袋内に収容したカップ入り飲料が傾いたり横倒しになったりして内容物がカップ内からこぼれ出る心配の無い包装袋を提供する。【解決手段】プラスチックフィルム材により、上部が開口し側部および下部が閉塞された袋形態に形成された包装袋１０であって、重なり合う表・裏のプラスチックフィルム材同士を点状または線状に熱接着して、幅方向に間隔を空けた一対の接着部１８ａ、１８ｂ；２０ａ２０ｂを幅方向に複数並列して設け、一対の接着部と表・裏の袋面とで囲まれ区画されたカップ保持部２２、２４を複数備えた。【選択図】図１
2017071421.tif 000002
【特許請求の範囲】
【請求項１】
プラスチックフィルム材により、上部が開口し側部および下部がそれぞれ閉塞された袋形態に形成され、上部に手提げ部を有する包装袋であって、
平置き状態としたときに重なり合う表・裏のプラスチックフィルム材同士を点状または線状に熱接着して、幅方向に間隔を空けた一対の接着部を形成し、この一対の接着部を幅方向に複数並列して設け、一対の接着部と表・裏の袋面とで囲まれ区画されたカップ保持部を複数備えたことを特徴とする、カップ入り飲料等の持帰り用包装袋。
【請求項２】
１枚のプラスチックフィルム材を、その対称軸を折返し線として真半分に折り畳み、重なり合った２面のプラスチックフィルム材を、前記折返し線の近くで前記折り畳み方向とは反対方向にそれぞれ折り返して再び重ね合わせ、重なり合った表・裏のプラスチックフィルム材の両側縁部を線状に熱接着して、底部にガゼット部を有する袋形態に形成された請求項１に記載の、カップ入り飲料等の持帰り用包装袋。
【発明の詳細な説明】
【技術分野】
【０００１】
この発明は、コンビニエンスストアやハンバーガーショップ、コーヒーショップなどの店舗において、カップに入ったコーヒー、コーラ、ジュース等の飲料、あるいはスープなどを持ち帰り（テイクアウト）する際に、その途中で飲料等の入ったカップが傾いたり横倒しになったりしないようにカップを保持する機能を持った包装袋に関する。
【背景技術】
【０００２】
店舗で食料品等を購入すると、店員から包装袋（ポリ袋）を貰ってその袋内に商品を入れて持ち帰る。ところで、コンビニエンスストアやハンバーガーショップ、コーヒーショップなどの店舗では、カップにコーヒーやコーラなどを入れて簡易的に蓋をした持帰り用の飲料が提供される。このようなカップ入り飲料は、傾いたり横倒しになったりすると内容物がカップ内からこぼれ出るので、通常の包装袋ではそれを袋内に入れて持ち帰ることができない。そこで、ハンバーガーショップなどでは、立体形状に組み立てられた紙製のカップホルダを包装袋の内底部分に収納し、袋内のカップホルダにカップ入り飲料を保持して持ち帰ることができるようにしている。
【０００３】
例えば、幅方向の両側にガゼット部を有する折り畳み状態のガゼット袋と、このガゼット袋に収容された折り畳み状態のキャリアとからなり、キャリアは、１枚の薄手の段ボールを型抜きするなどして形成されており、弱め線を有する一対の上部壁、各上部壁に弱め線を介して連設された一対の側部壁、および、各側部壁に弱め線を介して連設された一対の底部壁を有し、一方の上部壁から他方の上部壁にかけて、カップの保持部となる略円形の保持穴を有した折り畳み包装体が提案されている。この折り畳み包装体は、使用しないときには、折り畳み状態のキャリアが折り畳み状態のガゼット袋に収容されているので、平坦で嵩張らず、多数のものを積み重ねて効率良く保管しておくことができる。この折り畳み包装体を使用する際には、ガゼット袋内部のキャリアの各上部壁間の弱め線部分を底方向へ押すと、各上部壁が各側部壁との間の弱め線で折れ曲がって全体的に平板状になるるとともに、各底部壁が弱め線で内向きに折れ曲がることにより、飲料の入ったカップを保持する保持穴を有する立体形状のキャリアがガゼット袋内部に収容された形態の包装体が手早く簡単に形成される（例えば、特許文献１参照。）。
【先行技術文献】
【特許文献】
【０００４】
【特許文献１】特開２０１４−１８９３１４号公報（第８−９頁、図１、図４）
【発明の概要】
【発明が解決しようとする課題】
【０００５】
特許文献１に開示されたような従来の折り畳み包装体は、ポリエチレン等のプラスチックフィルム材で形成されたガゼット袋と、カップを保持するためのキャリア（カップホルダ）とで構成されている。したがって、この包装体を作製するためには、ガゼット袋の製造工程とは別に、薄手の段ボール、厚紙、プラスチック薄板等を型抜き加工しミシン目加工するなどしてキャリアを製造する工程が必要であり、さらに、ガゼット袋の内部にキャリアを収納する工程が必要となる。このように、キャリアを具備した包装体は、その製造工程が煩雑となり、また、それに伴って製造コストも高くなる、といった問題点がある。また、従来の折り畳み包装体では、折り畳まれたキャリアを手早く簡単に立体形状に組み立てることができるような工夫が種々施されているが、それでもコンビニエンスストアやハンバーガーショップ、コーヒーショップなどのレジカウンタの付近でキャリアを立体形状に組み立てるための手間は掛かる。
【０００６】
この発明は、以上のような事情に鑑みてなされたものであり、カップを保持するためのキャリア（カップホルダ）を特に必要とせず、袋材だけで構成され、したがって、製造工程が簡単で、低コストで作製することができ、使用に際しては、袋内にカップを収容するだけであって余分な手間が掛からず、袋内に収容したカップ入り飲料等が傾いたり横倒しになったりして内容物がカップ内からこぼれ出る心配の無いカップ入り飲料等の持帰り用包装袋を提供することを目的とする。
【課題を解決するための手段】
【０００７】
この発明では、上記課題を達成する手段として、従来からの構成の包装袋に、局部的な熱接着加工を施すことにより、包装袋内でカップを保持することができるようにした。
すなわち、請求項１に係る発明は、プラスチックフィルム材により、上部が開口し側部および下部がそれぞれ閉塞された袋形態に形成され、上部に手提げ部を有する包装袋であって、平置き状態としたときに重なり合う表・裏のプラスチックフィルム材同士を点状または線状に熱接着して、幅方向に間隔を空けた一対の接着部を形成し、この一対の接着部を幅方向に複数並列して設け、一対の接着部と表・裏の袋面とで囲まれ区画されたカップ保持部を複数備えて、カップ入り飲料等の持帰り用包装袋を構成したことを特徴とする。
【０００８】
請求項２に係る発明は、請求項１に記載の持帰り用包装袋において、１枚のプラスチックフィルム材を、その対称軸を折返し線として真半分に折り畳み、重なり合った２面のプラスチックフィルム材を、前記折返し線の近くで前記折り畳み方向とは反対方向にそれぞれ折り返して再び重ね合わせ、重なり合った表・裏のプラスチックフィルム材の両側縁部を線状に熱接着して、底部にガゼット部を有する袋形態に形成したことを特徴とする。
【発明の効果】
【０００９】
請求項１に係る発明のカップ入り飲料等の持帰り用包装袋は、それぞれ一対の接着部と表・裏の袋面とで囲まれ区画されて形成される複数のカップ保持部を有しており、その各カップ保持部に飲料の入ったカップをそれぞれ挿入することにより、カップ外周面が表・裏の袋内面に接触し袋内面によって袋内部でのカップの移動が規制される。このため、カップ入り飲料等が収容された包装袋を手提げしたときに、袋内でカップが傾いたり横倒しになったりすることがなく、内容物がカップ内からこぼれ出る心配が無くなる。そして、この持帰り用包装袋は、カップを保持するための紙製等のキャリア（カップホルダ）が不要であって、袋材だけで構成されているので、製造工程が簡単になり、低コストで作製することができ、使用に際しても余分な手間が一切掛からない。
【００１０】
請求項２に係る発明の持帰り用包装袋は、底部にガゼット部を有する袋形態に形成されているので、この包装袋のカップ保持部にカップ入り飲料を挿入したときに、袋底部が拡がって、カップの底が袋の奥底近くに位置するまでカップを挿入することができる。このため、カップ入り飲料をカップ保持部に確実に保持することができ、また、カップ入り飲料を収容した包装袋を自立させることも可能である。
【図面の簡単な説明】
【００１１】
【図１】この発明の実施形態の１例を示し、持帰り用包装袋にカップ入り飲料を収容した状態の斜視図である。
【図２】図１に示した持帰り用包装袋の正面図である。
【図３】図１のIII−III矢視断面図である。
【図４】この発明の別の実施形態示す持帰り用包装袋の正面図である。
【発明を実施するための形態】
【００１２】
以下、この発明の最良の実施形態について図面を参照しながら説明する。
図２に示すように、このカップ入り飲料の持帰り用包装袋１０は、プラスチックフィルム材、例えば透明または半透明のポリエチレンフィルム材により、上部が開口し下部が閉塞されるとともに両側部がそれぞれ熱接着部１２、１２により閉塞された袋形態に形成されている。包装袋１０の底部にはガゼット部１４が形設され、包装袋１０の上部に長穴からなる手提げ部１６が設けられている。そして、包装袋１０は、それを平置き状態としたときに重なり合う表・裏のポリエチレンフィルム材同士が部分的に熱接着されて、二対の接着部１８ａ、１８ｂ；２０ａ、２０ｂが形成されている。それぞれ一対の接着部１８ａ、１８ｂ；２０ａ、２０ｂは、袋の幅方向に所定の間隔を空けて左右対称に、かつ、互いの間隔が底方向に向かって狭くなるように設けられている。この一対の接着部１８ａ、１８ｂ；２０ａ、２０ｂが，袋の幅方向に並列して設けられている。そして、この一対の接着部１８ａ、１８ｂ；２０ａ、２０ｂと表・裏の袋面とで囲まれ区画されたスペースがカップ保持部２２、２４を形成する。したがって、一対の接着部１８ａ、１８ｂ；２０ａ、２０ｂ間の間隔は、包装袋１０内に収容し各カップ保持部２２、２４にそれぞれ保持しようとするカップの径によって設定される。
【００１３】
図２に示した包装袋１０は、次のようにして作製する。
まず、１枚のポリエチレンフィルム材を、図２に示した包装袋１０を展開した状態に相当する平面形状に切断する。所定形状に切断されたポリエチレンフィルム材を、その長手方向における中央の対称軸を第１の折返し線として真半分に折り畳み、重なり合った２面のポリエチレンフィルム材を、第１の折返し線の近くで前記折り畳み方向とは反対方向にそれぞれ折り返して再び重ね合わせる。このときにポリエチレンフィルム材が４重に重なった部分がガゼット部１４を形成することになる。次に、重なり合った表・裏のポリエチレンフィルム材の両側縁部を線状に熱接着し、両側部分を熱接着部１２、１２により閉塞し、これにより、底部にガゼット部１４を有する袋が形成される。そして、重なり合う表・裏のポリエチレンフィルム材同士を部分的に熱接着して、二対の接着部１８ａ、１８ｂ；２０ａ、２０ｂを形成する。もちろん、実際の製造ラインでは、袋両側の熱接着部１２、１２と袋面の接着部１８ａ、１８ｂ；２０ａ、２０ｂとは、同時に熱接着加工して形成される。このように、包装袋１０は、極めて簡単な工程により製造することができる。
【００１４】
図１に、この持帰り用包装袋１０にカップ入り飲料を収容した状態を示す。
この包装袋１０に、飲料の入ったカップ２６を収容するときは、一対の接着部１８ａ、１８ｂ；２０ａ、２０ｂと表・裏の袋面とで囲まれて形成されるカップ保持部２２、２４にカップ２６を上方から挿入する。このとき、袋底部を成すガゼット部１４が押し拡げられるので、カップ２６の底が袋の奥底近くに位置するまでカップ２６を挿入することが可能である。このため、カップ２６はカップ保持部２２、２４に確実に保持され、また、カップ入り飲料を収容した包装袋１０を自立させることが可能である。そして、カップ保持部２２、２４に保持されたカップ２６は、図３に示すように、カップ２６の外周面が表・裏の袋内面に接触し袋内面によって袋内部での移動が規制される。このため、カップ入り飲料が収容された包装袋１０を手提げしたときに、袋内でカップ２６が傾いたり横倒しになったりすることがなく、内容物がカップ２６内からこぼれ出る心配が無くなる。
【００１５】
図４に示すカップ入り飲料の持帰り用包装袋２８は、袋の構成自体は図２に示した包装袋１０と同様であり、透明または半透明のポリエチレンフィルム材により、上部が開口し下部が閉塞され両側部がそれぞれ熱接着部３０、３０により閉塞された袋形態に形成され、底部にガゼット部３２が形設され、上部に手提げ部３４が設けられている。この包装袋２８では、表・裏のポリエチレンフィルム材同士を部分的に熱接着して形成される三対の熱接着部３６ａ、３６ｂ；３８ａ、３８ｂ；４０ａ、４０ｂが袋の幅方向に並列して設けられており、一対の接着部３６ａ、３６ｂ；３８ａ、３８ｂ；４０ａ、４０ｂと表・裏の袋面とで形成される３つのカップ保持部４２、４４、４６を有している。したがって、この包装袋２８は、３個のカップ入り飲料を同時に収容し保持することができる。
【００１６】
この発明に係る持帰り用包装袋は、以上説明したように構成されているが、この発明の範囲は上記した実施形態の内容に限定されない。すなわち、袋を形成するプラスチックフィルム材は透明または半透明のポリエチレン以外のポリオレフィン製やポリ塩化ビニル製のフィルム材であってもよいし、袋形態としては、両側にガゼット部を有するガゼット袋、あるいはガゼット部の無い平袋等であってもよい。また、熱接着部は、連続線状でなく点状や断続線状等であってもよいし、カップ保持部の数も４つ以上であってもよい。さらに、包装袋に入れてコンビニエンスストア等の店舗から持ち帰る飲食品は、コーヒー、コーラ、ジュース等の飲料に限らず、カップに入ったスープなどであってもよい。
【産業上の利用可能性】
【００１７】
この発明に係る持帰り用包装袋は、コンビニエンスストアやハンバーガーショップ、コーヒーショップなどの店舗で用意され、コーヒー、コーラ、ジュース等の飲料などを客が持ち帰る際の包装袋として大量に用いられる。そして、この発明は、プラスチックフィルム材の成形加工、その製造機械の製作、包装袋の製造、その加工機械の製作などを行う各種の産業分野において利用される。
【符号の説明】
【００１８】
１０、２８  カップ入り飲料の持帰り用包装袋
１２、３０  熱接着部
１４、３２  ガゼット部
１６、３４  手提げ部
１８ａ、１８ｂ、２０ａ、２０ｂ、３６ａ、３６ｂ，３８ａ、３８ｂ，４０ａ、４０ｂ  接着部
２２、２４、４２、４４、４６  カップ保持部
２６  飲料の入ったカップ
【図１】
2017071421.tif 000003
【図２】
2017071421.tif 000004
【図３】
2017071421.tif 000005
【図４】
2017071421.tif 000006